(57)【要約】【課題】鍵を支持するフレームの剛性を向上させることができる鍵盤装置を提供する。【解決手段】第１鍵と、前記第１鍵の隣に配置される第２鍵と、材質が樹脂であり、前記第１鍵及び前記第２鍵を回動可能に支持するフレームであって、前記第１鍵及び前記第２鍵が回動する回動中心よりも手前側に配置され、前記第１鍵と前記第２鍵との間に配置される板状部を有するフレームと、を備える鍵盤装置。【選択図】図３
2018081137.tif 000002
【特許請求の範囲】
【請求項１】
第１鍵と、
前記第１鍵の隣に配置される第２鍵と、
材質が樹脂であり、前記第１鍵及び前記第２鍵を回動可能に支持するフレームであって、前記第１鍵及び前記第２鍵が回動する回動中心よりも手前側に配置され、前記第１鍵と前記第２鍵との間に配置される板状部を有するフレームと、
を備える鍵盤装置。
【請求項２】
前記第１鍵及び前記第２鍵の一部を被覆するカバーを備え、
前記フレームは、前記板状部に設けられて前記カバーを支持する支持部を有する請求項１に記載の鍵盤装置。
【請求項３】
前記支持部は、前記第１鍵及び前記第２鍵よりも上方に突出している請求項２に記載の鍵盤装置。
【請求項４】
前記板状部は、前記第１鍵及び前記第２鍵よりも上方に突出している請求項１乃至請求項３のいずれか１項に記載の鍵盤装置。
【請求項５】
前記板状部は、前記第１鍵及び前記第２鍵のスケール方向の移動を規制する規制部よりも奥側に配置される請求項１乃至請求項４のいずれか１項に記載の鍵盤装置。
【請求項６】
前記第１鍵及び前記第２鍵は白鍵である請求項１乃至請求項５のいずれか１項に記載の鍵盤装置。
【請求項７】
前記第１鍵の下方には、第１ハンマーアセンブリが配置され、
前記第２鍵の下方には、第２ハンマーアセンブリが配置され、
前記フレームは、前記第１ハンマーアセンブリと前記第２ハンマーアセンブリとの間に、板状のリブを有する請求項１乃至請求項６のいずれか１項に記載の鍵盤装置。
【請求項８】
前記第１鍵及び前記第２鍵の後端には、スケール方向の幅が前記第１鍵及び前記第２鍵の前端部よりも小さい小幅部が設けられ、
前記スケール方向で見た場合に、前記板状部の少なくとも一部は、前記小幅部と重畳する請求項１乃至請求項７のいずれか１項に記載の鍵盤装置。
【請求項９】
前記第１鍵及び前記第２鍵の後端には、スケール方向の幅が前記第１鍵及び前記第２鍵の前端部よりも小さい小幅部が設けられ、
前記スケール方向から見た場合に、前記支持部の少なくとも一部は、前記小幅部と重畳する請求項２又は請求項３に記載の鍵盤装置。
【発明の詳細な説明】
【技術分野】
【０００１】
本発明は、鍵盤装置に関する。
【背景技術】
【０００２】
特許文献１では、鍵が、鍵の回動中心よりも鍵奥側に配置される鉛直板部で支持される電子鍵盤楽器が開示される。特許文献２では、鍵が、鍵の回動中心よりも鍵奥側で共締めネジにより上ケース及び下ケースに締結される鍵盤楽器が開示される。
【先行技術文献】
【特許文献】
【０００３】
【特許文献１】特開２０１０−２６２０１８号公報
【特許文献１】特開２０１１−１７９４２号公報
【発明の概要】
【発明が解決しようとする課題】
【０００４】
しかしながら、特許文献１や特許文献２に記載の発明よりも鍵のタッチ感を良くするために鍵を長くしたい場合には、鍵を支持するフレームが長くなる一方でフレームの剛性が低下するので、鍵を支持するフレームの剛性を向上させる必要がある。
【０００５】
本発明は、上記実情に鑑み、鍵を支持するフレームの剛性を向上させることができる鍵盤装置を提供することを目的とする。
【課題を解決するための手段】
【０００６】
本発明の実施形態によると、第１鍵と、前記第１鍵の隣に配置される第２鍵と、材質が樹脂であり、前記第１鍵及び前記第２鍵を回動可能に支持するフレームであって、前記第１鍵及び前記第２鍵が回動する回動中心よりも手前側に配置され、前記第１鍵と前記第２鍵との間に配置される板状部を有するフレームと、を備える鍵盤装置が提供される。
【０００７】
前記第１鍵及び前記第２鍵の一部を被覆するカバーを備え、前記フレームは、前記板状部に設けられて前記カバーを支持する支持部を有する鍵盤装置が提供されても良い。
【０００８】
前記支持部は、前記第１鍵及び前記第２鍵よりも上方に突出している鍵盤装置が提供されても良い。
【０００９】
前記板状部は、前記第１鍵及び前記第２鍵よりも上方に突出している鍵盤装置が提供されても良い。
【００１０】
前記板状部は、前記第１鍵及び前記第２鍵のスケール方向の移動を規制する規制部よりも奥側に配置される鍵盤装置が提供されても良い。
【００１１】
前記第１鍵及び前記第２鍵は白鍵である鍵盤装置が提供されても良い。
【００１２】
前記第１鍵の下方には、第１ハンマーアセンブリが配置され、前記第２鍵の下方には、第２ハンマーアセンブリが配置され、前記フレームは、前記第１ハンマーアセンブリと前記第２ハンマーアセンブリとの間に、板状のリブを有する鍵盤装置が提供されても良い。
【００１３】
前記第１鍵及び前記第２鍵の後端には、スケール方向の幅が前記第１鍵及び前記第２鍵の前端部よりも小さい小幅部が設けられ、前記スケール方向で見た場合に、前記板状部の少なくとも一部は、前記小幅部と重畳する鍵盤装置が提供されても良い。
【００１４】
前記第１鍵及び前記第２鍵の後端には、スケール方向の幅が前記第１鍵及び前記第２鍵の前端部よりも小さい小幅部が設けられ、前記スケール方向から見た場合に、前記支持部の少なくとも一部は、前記小幅部と重畳する鍵盤装置が提供されても良い。
【発明の効果】
【００１５】
本発明によれば、鍵の剛性を維持しつつ、フレームの剛性を向上させることができる
【図面の簡単な説明】
【００１６】
【図１】本発明の一実施形態における鍵盤装置の構成を示す図である。
【図２】音源装置の構成を示すブロック図である。
【図３】鍵盤装置の筐体内部の構成を側面から見た説明図である。
【図４】フレームからカバーを取り外した側面図である。
【図５】フレームからカバーを取り外した場合の平面図である。
【図６】板状部の近傍の構成を示す一部拡大平面図である。
【図７】鍵盤装置のリブの構成を示す平面図である。
【図８】鍵（白鍵）を押下したときの鍵アセンブリの動作を説明する図である。
【図９】板状部の変形例を示す平面図である。
【発明を実施するための形態】
【００１７】
以下、本発明の一実施形態における鍵盤装置１について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００１８】
＜第１実施形態＞
［鍵盤装置の構成］
図１は、第１実施形態における鍵盤装置１の構成を示す図である。鍵盤装置１は、この例では、電子ピアノなど演奏者（ユーザ）の押鍵に応じて発音する電子鍵盤楽器である。なお、鍵盤装置１は、外部の音源装置を制御するための制御データ（例えば、ＭＩＤＩ）を、押鍵に応じて出力する鍵盤型のコントローラであってもよい。この場合には、鍵盤装置１は、音源装置を有していなくてもよい。
【００１９】
鍵盤装置１は、鍵盤アセンブリ１０を備える。鍵盤アセンブリ１０は、白鍵１００ｗおよび黒鍵１００ｂを含む。複数の白鍵１００ｗと黒鍵１００ｂとが並んで配列されている。鍵１００の数は、Ｎ個であり、この例では８８個である。この配列された方向をスケール方向Ｍという。白鍵１００ｗおよび黒鍵１００ｂを特に区別せずに説明できる場合には、鍵１００という場合がある。以下の説明においても、符号の最後に「ｗ」を付した場合には、白鍵に対応する構成であることを意味している。また、符号の最後に「ｂ」を付した場合には、黒鍵に対応する構成であることを意味している。
【００２０】
鍵盤アセンブリ１０の一部は、筐体９０とカバー３０で囲まれる空間の内部に配置されている。鍵盤装置１を上方から見た場合において、鍵盤アセンブリ１０のうちカバー３０に覆われている部分を非外観部ＮＶといい、カバー３０から露出して演奏者から視認できる部分を外観部ＰＶという。すなわち、外観部ＰＶは、鍵１００の一部であって、演奏者によって演奏操作が可能な領域を示す。以下、鍵１００のうち外観部ＰＶによって露出されている部分を鍵本体部という場合がある。
【００２１】
筐体９０内部には、音源装置７０およびスピーカ８０が配置されている。音源装置７０は、鍵１００の押下に伴って音波形信号を生成する。スピーカ８０は、音源装置７０において生成された音波形信号を外部の空間に出力する。なお、鍵盤装置１は、音量をコントロールするためのスライダ、音色を切り替えるためのスイッチ、様々な情報を表示するディスプレイなどが備えられていてもよい。
【００２２】
なお、本明細書における説明において、上、下、左、右、手前および奥などの方向は、演奏するときの演奏者から鍵盤装置１を見た場合の方向を示している。そのため、例えば、非外観部ＮＶは、外観部ＰＶよりも奥側に位置している、と表現することができる。また、鍵前端側（鍵前方側、又は、鍵長手方向Ｋの手前Ｋ１側、ともいう）、鍵後端側（鍵後方側、又は、鍵長手方向Ｋの奥Ｋ２側ともいう）のように、鍵１００を基準として方向を示す場合もある。この場合、鍵前端側は鍵１００に対して演奏者から見た手前側を示す。鍵後端側は鍵１００に対して演奏者から見た奥側を示す。この定義によれば、黒鍵１００ｂのうち、黒鍵１００ｂの鍵本体部の前端から後端までが、白鍵１００ｗよりも上方に突出した部分である、と表現することができる。
【００２３】
［音源装置］
図２は、第１実施形態における音源装置７０の構成を示すブロック図である。音源装置７０は、信号変換部７１０、音源部７３０および出力部７５０を備える。センサ３００は、各鍵１００に対応して設けられ、鍵１００の操作を検出し、検出した内容に応じた信号を出力する。この例では、センサ３００は、３段階の押鍵量に応じて信号を出力する。この信号の間隔に応じて押鍵速度が検出可能である。
【００２４】
信号変換部７１０は、センサ３００（８８の鍵１００に対応したセンサ３００−１、３００−２、・・・、３００−８８）の出力信号を取得し、各鍵１００における操作状態に応じた操作信号を生成して出力する。この例では、操作信号はＭＩＤＩ形式の信号である。そのため、押鍵操作に応じて、信号変換部７１０はノートオンを出力する。このとき、８８個の鍵１００のいずれが操作されたかを示すキーナンバ、および押鍵速度に対応するベロシティについてもノートオンに対応付けて出力される。一方、離鍵操作に応じて、信号変換部７１０はキーナンバとノートオフとを対応付けて出力する。信号変換部７１０には、ペダル等の他の操作に応じた信号が入力され、操作信号に反映されてもよい。
【００２５】
音源部７３０は、信号変換部７１０から出力された操作信号に基づいて、音波形信号を生成する。出力部７５０は、音源部７３０によって生成された音波形信号を出力する。この音波形信号は、例えば、スピーカ８０または音波形信号出力端子などに出力される。
【００２６】
［鍵盤アセンブリの構成］
図３は、鍵盤装置１の筐体９０内部の構成を側面から見た説明図である。鍵盤装置１は筐体９０とカバー３０とを有する。筐体９０は、鍵盤アセンブリ１０の底面と側面とを覆っている。カバー３０は、鍵盤アセンブリ１０の鍵１００の一部を被覆している。黒鍵１００ｂが白鍵１００ｗから上方に突出する突出部分があり、この突出部分よりも鍵後端側に非外観部ＮＶが配置されていると言える。
【００２７】
また、筐体９０の内部において、鍵盤アセンブリ１０およびスピーカ８０が配置されている。すなわち、筐体９０は、少なくとも、鍵盤アセンブリ１０の一部（接続部１８０およびフレーム５００）およびスピーカ８０を覆っている。スピーカ８０は、鍵盤アセンブリ１０の奥側に配置されている。このスピーカ８０は、押鍵に応じた音を筐体９０の上方および下方に向けて出力するように配置されている。
【００２８】
下方に出力される音は、筐体９０の下面側から外部に進む。一方、上方に出力される音は筐体９０の内部から鍵盤アセンブリ１０の内部の空間を通過して、外観部ＰＶにおける鍵１００が隣接する隙間または鍵１００と筐体９０との隙間から外部に進む。なお、鍵盤アセンブリ１０の内部の空間、すなわち鍵１００（鍵本体部）の下方側の空間に到達する、スピーカ８０からの音の経路は、経路ＳＲとして例示されている。
【００２９】
鍵盤アセンブリ１０は、上述した鍵１００やフレーム５００の他にも、接続部１８０ｗ、１８０ｂ、ハンマーアセンブリ２００を含む。鍵盤アセンブリ１０は、ほとんどの構成が射出成型などによって製造された樹脂製の構造体である。フレーム５００は、筐体９０に固定されている。
【００３０】
接続部１８０ｗは、フレーム５００に対して回動可能に鍵１００ｗを接続する。接続部１８０ｂは、フレーム５００に対して回動可能に鍵１００ｂを接続する。接続部１８０ｗ、１８０ｂは、小幅部１３０ｗ、１３０ｂ（板状可撓性部材）、第１支持部１８３ｗ、１８３ｂおよび棒状可撓性部材１８５ｗ、１８５ｂを備える。小幅部１３０ｗ、１３０ｂは、鍵１００ｗ、１００ｂの後端から延在している。第１支持部１８３ｗ、１８３ｂは、小幅部１３０ｗ、１３０ｂの後端から延在している。
【００３１】
棒状可撓性部材１８５ｗ、１８５ｂが、第１支持部１８３ｗ、１８３ｂおよび第２支持部５８５ｗ、５８５ｂによって支持されている。すなわち、鍵１００ｗ、１００ｂとフレーム５００との間において、直列に接続された小幅部１３０ｗ、１３０ｂおよび棒状可撓性部材１８５ｗ、１８５ｂが配置されている。言い換えると、鍵１００ｗ、１００ｂと棒状可撓性部材１８５ｗ、１８５ｂとの間に小幅部１３０ｗ、１３０ｂが配置されている。また、小幅部１３０ｗ、１３０ｂとフレーム５００との間に棒状可撓性部材１８５ｗ、１８５ｂが配置されている。このように配置された棒状可撓性部材１８５ｗ、１８５ｂが曲がることによって、鍵１００ｗ、１００ｂがフレーム５００に対して回動することができる。
【００３２】
棒状可撓性部材１８５ｗ、１８５ｂは、第１支持部１８３ｗ、１８３ｂと第２支持部５８５ｗ、５８５ｂとに対して、着脱可能に構成されている。これにより、小幅部１３０ｗ、１３０ｂと棒状可撓性部材１８５ｗ、１８５ｂとが着脱可能に構成されているともいえる。この例では、小幅部１３０ｗ、１３０ｂおよび第１支持部１８３ｗ、１８３ｂは、鍵１００ｗ、１００ｂと一体に成型され、同一の材質を有する。この例では、フレーム５００も小幅部１３０ｗ、１３０ｂと同一の材質を有するが、異なる材質を有していてもよい。
【００３３】
一方、棒状可撓性部材１８５ｗ、１８５ｂと小幅部１３０ｗ、１３０ｂとは異なる材質を有する。この例では、小幅部１３０ｗ、１３０ｂは棒状可撓性部材１８５ｗ、１８５ｂよりも硬質である。すなわち、棒状可撓性部材１８５ｗ、１８５ｂの方が、小幅部１３０ｗ、１３０ｂよりも曲がりやすい。このような関係を有する材料の例として、小幅部１３０ｗ、１３０ｂ（ここでは、鍵１００およびフレーム５００も同様）はＡＳ樹脂であり、棒状可撓性部材１８５ｗ、１８５ｂはＡＢＳ樹脂またはＰＯＭ樹脂である。鍵１００ｗ、１００ｂの回動に大きく寄与する棒状可撓性部材１８５ｗ、１８５ｂを軟質の材料で形成することにより、アコースティックピアノに近いタッチ感を得ることができるとともに、小幅部１３０ｗ、１３０ｂが硬質な材料で形成されていることにより耐久性を得ることも容易である。
【００３４】
［鍵側ガイド］
鍵１００ｗは、前端鍵ガイド１５１および鍵側ガイド１２５（規制部の一つ）を備える。前端鍵ガイド１５１は、フレーム５００の前端フレームガイド５１１を覆った状態で摺動可能に接触している。前端鍵ガイド１５１は、その上部と下部のスケール方向の両側において、前端フレームガイド５１１と接触している。なお、鍵側ガイド１２５は、前述の鍵側ガイド１０１と鍵側ガイド１０２とを有する。
【００３５】
鍵側ガイド１０１、１０２は、フレーム側ガイド５１３と一緒に鍵１００ｗ、１００ｂの動作を規制する。鍵側ガイド１０１、１０２は、略上下方向に延びるように設けられる。鍵側ガイド１０１と鍵側ガイド１０２との間はスケール方向Ｍに凹んでいる。また、鍵側ガイド１２５は、非外観部ＮＶの下方に配置される。
【００３６】
［フレーム側ガイド］
一方で、フレーム５００にはフレーム側ガイド５１３（規制部の一つ）が設けられている。本実施形態ではフレーム側ガイド５１３はフレーム５００の一部である。フレーム側ガイド５１３は、スケール方向Ｍに突出する部位である。フレーム側ガイド５１３は、スケール方向Ｍで前述の鍵側ガイド１０１と鍵側ガイド１０２との間の凹みに挿入された状態に配置されている。また、フレーム側ガイド５１３は、スケール方向Ｍの両側において鍵側ガイド１２５と摺動可能に接触している。この例では、フレーム側ガイド５１３は、鍵１００の側面のうち非外観部ＮＶに対応する領域に配置され、接続部１８０ｗ、１８０ｂ（小幅部１３０ｗ、１３０ｂ）よりも鍵前端側に存在するが、外観部ＰＶに対応する領域に配置されてもよい。
【００３７】
そして、フレーム側ガイド５１３に対して鍵側ガイド１０１がガイド（案内）されて上下方向に移動することで、鍵１００のスケール方向Ｍの移動が規制される。
【００３８】
［ハンマーアセンブリ］
ハンマーアセンブリ２００は、鍵１００の下方側の空間に配置され、フレーム５００に対して回動可能に取り付けられている。このときハンマーアセンブリ２００の軸支持部２２０とフレーム５００の回動軸５２０とは少なくとも３点で摺動可能に接触する。ハンマーアセンブリ２００の前端部２１０は、ハンマー支持部１２０の内部空間において概ね前後方向に摺動可能に接触する。この摺動部分、すなわち前端部２１０とハンマー支持部１２０とが接触する部分は、外観部ＰＶ（鍵本体部の後端よりも前方）における鍵１００の下方に位置する。
【００３９】
ハンマーアセンブリ２００は、回動軸よりも奥側において、金属製の錘部２３０が配置されている。通常時（押鍵していないとき）には、錘部２３０が下側ストッパ４１０に載置された状態であり、ハンマーアセンブリ２００の前端部２１０が、鍵１００を押し戻している。押鍵されると、錘部２３０が上方に移動し、上側ストッパ４３０に衝突する。ハンマーアセンブリ２００は、この錘部２３０によって、押鍵に対して加重を与える。下側ストッパ４１０および上側ストッパ４３０は、緩衝材等（不織布、弾性体等）で形成されている。
【００４０】
ハンマー支持部１２０および前端部２１０の下方には、フレーム５００にセンサ３００が取り付けられている。押鍵により前端部２１０の下面側でセンサ３００が押しつぶされると、センサ３００は検出信号を出力する。センサ３００は、上述したように、各鍵１００に対応して設けられている。
【００４１】
また、フレーム５００は、上下仕切部５０３と、上下仕切部５０３の上方に配置されるカバー支持板５７１（剛性支持板）と、上下仕切部５０３の下方に配置されるリブ５７２と、を有する。上下仕切部５０３は、フレーム５００における鍵１００とハンマーアセンブリ２００とを上下で仕切る。また、リブ５７２は、上リブ部５７２ａと下リブ部５７２ｂとを有する。これらに関しては、後に詳述する。また、筐体９０には、フレーム５００をネジ９６で固定するための孔９１が設けられている。
【００４２】
図４は、板状部５７１ｃの近傍の構成を示す一部拡大断面図である。図４に示されるように、カバー３０は、カバー孔３０ａ１、３０ｂ１を有する。カバー孔３０ａ１、３０ｂ１は、接合孔５７１ａ１、５７１ｂ１に対応して設けられている。すなわち、カバー孔３０ａ１とカバー孔３０ｂ１との間隔は、接合孔５７１ａ１と接合孔５７１ｂ１との間隔と略同じである。
【００４３】
［板状部が鍵よりも上方に突出］
板状部５７１ｃは、鍵１００ｗよりも上方に突出している。詳しくは、板状部５７１ｃは、鍵１００ｗの小幅部１３０ｗよりも上方に突出している。このように板状部５７１ｃが鍵１００よりも高い位置に突出していると、カバー３０をフレーム５００の上に組付けようとするときに、カバー３０が小幅部１３０ｗ、１３０ｂよりも先に板状部５７１ｃに当接し易いと言える。従って、カバー３０を板状部５７１ｃに載せて支持させるときに、カバー３０が鍵１００に当たり難く、カバー３０をフレーム５００に取り付ける作業容易性が向上する。ただし、本実施形態では、後述するように、支持部５７１ａ、５７１ｂが板状部５７１ｃよりも上方に突出しているので、支持部５７１ａ、５７１ｂの方がカバー３０に当接する。
【００４４】
［支持部が板状部よりも上方に突出］
支持部５７１ａ、５７１ｂが板状部５７１ｃよりも上方に突出している。このように支持部５７１ａ、５７１ｂが板状部５７１ｃよりも高い位置に突出していると、カバー３０をフレーム５００の上に組み付けようとするときに、カバー３０は、鍵１００に当たるよりも前に支持部５７１ａ、５７１ｂに当接する。そのために、カバー３０が鍵１００に当たり難く、カバー３０をフレーム５００に取り付ける作業容易性が向上する。なお、支持部５７１ａ、５７１ｂが板状部５７１ｃよりも上方に突出していることから、支持部５７１ａ、５７１ｂが鍵１００ｗよりも上方に突出しているとも言える。
【００４５】
このようにカバー３０を板状部５７１ｃあるいは支持部５７１ａ、５７１ｂに取り付ける構成によれば、カバー３０の位置決め精度が向上し、カバー３０の姿勢が安定する。本実施形態では、２つの支持部５７１ａ、５７１ｂは、共に鍵長手方向Ｋに所定の間隔で隣り合う。ただし、この構成に限定されず、３つ以上の支持部が、共に鍵長手方向Ｋに所定の間隔で隣り合う構成であってもよい。
【００４６】
板状部５７１ｃの上方に、カバー３０と、固定ネジ９５と、を配置する。前述した支持部５７１ａの一方が鍵長手方向Ｋの手前Ｋ１側に配置され、支持部５７１ｂの他方が鍵長手方向Ｋの奥Ｋ２側に配置されている。支持部５７１ａ、５７１ｂの各々は、固定ネジ９５が挿通される接合孔５７１ａ１、５７１ｂ１を有する。
【００４７】
また、カバー３０は、固定ネジ９５が挿通されるカバー孔３０ａ１、３０ｂ１を有する。固定ネジ９５がカバー孔３０ａ１、３０ｂ１と接合孔５７１ａ１、５７１ｂ１に挿入される。そして、固定ネジ９５によって、カバー３０が支持部５７１ａ、５７１ｂに締結される。
【００４８】
図５は、鍵盤装置１からカバー３０を取り外した場合の平面図である。白鍵１００ｗの後端には、小幅部１３０ｗが設けられている。白鍵１００ｗの小幅部１３０ｗにおけるスケール方向Ｍの幅は、白鍵１００ｗの小幅部１３０ｗにおける鉛直方向の高さよりも小さく設定されている。また、白鍵１００ｗの小幅部１３０ｗにおけるスケール方向Ｍの幅は、白鍵１００ｗのどの部分のスケール方向Ｍの幅よりも小さく設定されていても良い。さらに、白鍵１００ｗの小幅部１３０ｗにおけるスケール方向Ｍの幅は、白鍵１００ｗのどの部分（例として、白鍵１００ｗの前端部や後端部の押鍵方向の高さ）の鉛直方向の高さよりも小さく設定されていても良い。また、小幅部１３０ｗは、板面がスケール方向Ｍを向いている。それゆえに、小幅部１３０ｗは、スケール方向Ｍで可撓性を有する。
【００４９】
黒鍵１００ｂの後端には、小幅部１３０ｂが設けられている。黒鍵１００ｂの小幅部１３０ｂにおけるスケール方向Ｍの幅は、黒鍵１００ｂの小幅部１３０ｂにおける鉛直方向の高さよりも小さく設定されている。また、黒鍵１００ｂの小幅部１３０ｂにおけるスケール方向Ｍの幅は、黒鍵１００ｂのどの部分のスケール方向Ｍの幅よりも小さく設定されていても良い。さらに、黒鍵１００ｂの小幅部１３０ｂにおけるスケール方向Ｍの幅は、黒鍵１００ｂのどの部分（例として黒鍵１００ｂの前端部や後端部の押鍵方向の高さ）の鉛直方向の高さよりも小さく設定されていても良い。また、小幅部１３０ｂは、板面がスケール方向Ｍを向いている。小幅部１３０ｂは、スケール方向Ｍで可撓性を有する。
【００５０】
白鍵１００ｗは、白鍵１００ｗの後端がスケール方向Ｍで前端部の幅よりも狭い小幅剛性部１４０ｗを有する。また、別の表現をすると、白鍵１００ｗは、白鍵１００ｗの後端がスケール方向Ｍで押鍵する領域よりも狭い小幅剛性部１４０ｗを有すると言える。
【００５１】
また、小幅剛性部１４０ｗは、支持部５７１ａと対向する面に凹部１４０ｗ１を有する。凹部１４０ｗ１は、スケール方向Ｍに凹む。支持部５７１ａの幅が非外観部ＮＶにおける鍵１００同士の間の距離（鍵間距離）よりも小さい場合には凹部１４０ｗ１が設けられる必要がない。しかし、支持部５７１ａの幅が非外観部ＮＶにおける鍵１００同士の間の距離よりも大きい場合には凹部１４０ｗ１が設けられても良い。
【００５２】
[板状部が所定の白鍵同士の間に配置]
所定の鍵１００同士の間（本実施形態では、Ｅの音に対応する白鍵１００ｗ（第１鍵）とＦの音に対応する白鍵１００ｗ（第２鍵）との間、および、Ｂの音に対応する白鍵１００ｗ（第１鍵）とＣの音に対応する白鍵１００ｗ（第２鍵）との間）に板状部５７１ｃが配置される。本実施形態では、板状部５７１ｃが設けられた箇所は、１オクターブ内に２箇所あり、１オクターブ毎に同様に構成されている。
【００５３】
［板状部がハンマーアセンブリ同士の間に配置］
板状部５７１ｃの下方には、リブ５７２が配置される。板状部５７１ｃがフレーム５００の一部であったのと同様に、リブ５７２もフレーム５００の一部である。ただし、板状部５７１ｃとリブ５７２がフレーム５００に対して分離可能に接続される構成であっても良い。
【００５４】
板状部５７１ｃは、材質が樹脂であり、鍵１００ｗ、１００ｂを支持するフレーム５００と一体である。板状部５７１ｃは、鍵１００ｗ、１００ｂが回動する棒状可撓性部材１８５ｗ、１８５ｂよりも手前側に配置される。すなわち、板状部５７１ｃは、白鍵１００ｗが回動する棒状可撓性部材１８５よりも演奏者の手前側に配置される。また、板状部５７１ｃは、黒鍵１００ｂが回動する棒状可撓性部材１８５よりも演奏者の手前側に配置される。こうした構成によれば、鍵盤装置１の剛性（強度）が必要な箇所が直接補強される。また、板状部５７１ｃがリブとして機能して剛性（強度）がアップする。
【００５５】
［フレーム５００の底の孔５０２Ｍ］
孔５０２Ｍは、鍵長手方向Ｋで、板状部５７１ｃと棒状可撓性部材１８５ｗ、１８５ｂとの間に配置される。また、孔５０２Ｍは、スケール方向Ｍで、Ｂの音に対応する白鍵１００ｗとＣの音に対応する白鍵１００ｗとの間に配置される。なお、ここでは、孔５０２Ｍは、板状部５７１ｃの面に沿う仮想平面上に配置されている。この孔５０２Ｍは、鍵盤装置１の平面視で視認可能な位置に配置されている。従って、鍵盤アセンブリ１０が筐体９０に組み付けられるときは、鍵１００がフレーム５００に固定された状態であっても、鍵盤装置１を上方から見た状態で、組付けネジ９６（図３参照）を、隣接する小幅部１３０ｗ同士の間を通して締結することができるようになっている。この場合には、この組付けネジ９６は、フレーム５００を筐体９０に締結することになる。板状部５７１ｃの面に沿う位置では、フレーム５００の剛性が高められているので、その並びに孔５０２Ｍが設けられている。なお、ここでは、板状部５７１ｃは、棒状可撓性部材１８５と孔５０２Ｍとの間に配置されているが、この配置に限定されなくても良い。
【００５６】
これも、鍵１００の小幅部１３０ｗがスケール方向Ｍに可撓性を有する板状の部材で形成されたことから可能になったと言える。孔５０２Ｍは、鍵盤装置１の平面視で、スケール方向Ｍで１オクターブ毎に配置される。また、鍵盤装置１は、フレーム５００に鍵１００が取り付けられた状態であっても、平面視で、鍵１００の小幅部１３０ｗや小幅部１３０ｂが孔５０２Ｍに重畳（オーバーラップ）しない位置関係になるように設定されている。そのために、鍵１００が取り付けられているフレーム５００は、その状態のまま組付けネジ９６を用いて孔５０２Ｍの位置で筐体９０に組付けることができる。
【００５７】
［フレーム５００の底の孔５０２Ｎ］
孔５０２Ｎは、鍵長手方向Ｋで、板状部５７１ｃと棒状可撓性部材１８５ｗ、１８５ｂとの間に配置される。また、孔５０２Ｎは、スケール方向Ｍで、Ａの音に対応する白鍵Ａの位置に配置される。従って、この孔５０２Ｎは、鍵盤装置１の平面視で、白鍵１００ｗの小幅部１３０ｗと重畳（オーバーラップ）する位置に配置されている。従って、鍵１００がフレーム５００に固定された状態では、合体ネジ９７を締結することができないようになっている。そのために、鍵１００がフレーム５００に固定される前に、合体ネジ９７が上リブ部５７２ａの長孔５０２Ｘ（スケール方向Ｍに長い孔）と下リブ部５７２ｂの孔５０２Ｙに締結されている必要がある。この場合には、この合体ネジ９７は、鍵１００を支持する上リブ部５７２ａと、ハンマーアセンブリ２００を支持する下リブ部５７２ｂと、を締結することになる。なお、ここでは、孔５０２Ｎは、長孔５０２Ｘと孔５０２Ｙとを合わせて構成されている。
【００５８】
また、フレーム５００は、鍵長手方向Ｋにて、板状部５７１ｃと棒状可撓性部材１８５（回動中心）との間に孔５０２Ｍと孔５０２Ｎとを有する。孔５０２Ｍに関しては図３と図５に記載され、孔５０２Ｎに関しては図５に記載される。一方で、筐体９０は、前述の孔５０２Ｍに対応する位置に孔９１を有する。そして、組付けネジ９６が孔５０２Ｍと孔９１に締結されることで、フレーム５００が筐体９０に組付けられる。また、フレーム５００は、鍵長手方向Ｋの手前Ｋ１側にも、下方から上方へと延びる孔５０２Ｚを有する。この孔５０２Ｚの位置に対応するように、筐体９０には孔９１が形成されている。そして、フレーム５００は、組付けネジ９８によって筐体９０に組付けられる。
【００５９】
［板状部］
図６は、カバー支持板５７１の近傍の拡大平面図である。カバー支持板５７１は、板状部５７１ｃ、支持部５７１ａ、支持部５７１ｂを有する。板状部５７１ｃは、上下仕切部５０３から上方に向かって突出している。そして、板状部５７１ｃはフレーム５００の剛性を高める。また、カバー３０がフレーム５００に取り付けられるとカバー３０の姿勢が安定する。さらに、板状部５７１ｃがカバー３０のより前端部を支持することになるから、カバー３０のフレーム５００に対する位置決め精度や取付け強度が向上する。
【００６０】
板状部５７１ｃを設けるスペースは、小幅部１３０ｗが可撓性を有する程に薄いとでき易い。板状部５７１ｃに対向する面積は、小幅部１３０ｗの方が小幅剛性部１４０ｗよりも小さい。
【００６１】
［板状部が規制部よりも鍵長手方向で奥側に配置］
板状部５７１ｃは、フレーム側ガイド５１３よりも奥側に配置される。この構成は、カバー３０がフレーム側ガイド５１３と鍵側ガイド１２５とを覆っている前提で意味をもつ。本実施形態では、鍵長手方向Ｋにおいて、フレーム側ガイド５１３の位置には鍵１００の鍵本体部が配置されており、スケール方向Ｍに隣接する鍵本体部同士の間に板状部５７１ｃを配置するスペースが確保し難い。この一方、本実施形態では、鍵長手方向Ｋにおいて、フレーム側ガイド５１３の位置よりも奥側には小幅部１３０ｗ、１３０ｂが配置されており、スケール方向Ｍに隣接する小幅部１３０ｗ同士の間であれば板状部５７１ｃを配置するスペースが確保し易い。そのために、板状部５７１ｃがフレーム側ガイド５１３よりも奥側に配置される部分が存在する。
【００６２】
板状部５７１ｃは、支持部５７１ａと支持部５７１ｂの間に配置される。板状部５７１ｃの面は、鉛直方向に広がると共に、鍵長手方向Ｋに広がる。すなわち、板状部５７１ｃの面は、スケール方向Ｍと直交する方向に広がる。このことから、板状部５７１ｃの法線方向がスケール方向Ｍであるとも言える。板状部５７１ｃは、支持部５７１ａ、５７１ｂよりもスケール方向Ｍの幅が小さい。
【００６３】
前述の板状部５７１ｃは、スケール方向Ｍの一方でも他方でも、鍵１００から鍵長手方向Ｋの奥Ｋ２に延びる小幅部１３０ｗに対向する。このように、スケール方向Ｍで見た場合に、板状部５７１ｃの少なくとも一部は、小幅部１３０ｗと重畳する（オーバーラップする）。また、スケール方向Ｍで見た場合に、支持部５７１ａ、５７１ｂの少なくとも一部は、小幅部１３０ｗと重畳する（オーバーラップする）。また、小幅部１３０ｗがあることで、板状部５７１ｃを設けるスペースができ易い。
【００６４】
また、別の表現をすると、板状部５７１ｃは、鍵盤装置１の平面視で、互いにスケール方向Ｍで隣り合う白鍵１００ｗのハンマーアセンブリ２００と白鍵１００ｗのハンマーアセンブリ２００との間に配置される、とも言える。
【００６５】
図７は、鍵盤装置１を上方から見て、鍵の前端部側を切り欠き、リブ５７２とハンマーアセンブリ２００との位置関係を示す平面図である。板状部５７１ｃをＥの音に対応する白鍵１００ｗとＦの音に対応する白鍵１００ｗとの間に配置したのと同様の趣旨により、図７に示されるように、リブ５７２も平面視でそれと同じＥの音に対応する白鍵１００ｗとＦの音に対応する白鍵１００ｗとの間に配置される。ただし、リブ５７２と白鍵の位置とは上下方向で異なるので、実際には、リブ５７２は、ハンマーアセンブリ２００同士の間（Ｅの音に対応する白鍵１００ｗに対応する第１ハンマーアセンブリ２００とＦの音に対応する白鍵１００ｗに対応する第２ハンマーアセンブリ２００との間）に配置される。
【００６６】
白鍵１００ｗ同士の間は、白鍵１００ｗと黒鍵１００ｂとの間よりも鍵１００同士の間に、リブ５７２を設けるのに適している。リブ５７２は板状に形成されている。また、板状部５７１ｃは、リブ５７２よりも鍵長手方向Ｋの長さが短く設定されている。
【００６７】
［支持部］
支持部５７１ａ、５７１ｂは、カバー３０を支持するする部位である。支持部５７１ａ、５７１ｂは、各々の板状部５７１ｃの鍵長手方向Ｋの一端で隣接する位置と他端で隣接する位置とに配置される。支持部５７１ａ、５７１ｂは、水平面に対して鉛直方向に延びる。支持部５７１ａ、５７１ｂは、中空円筒の形状をなしている。その中空円筒状の支持部５７１ａ、５７１ｂは、内部に、鉛直方向に延びる接合孔５７１ａ１、５７１ｂ１を有する。この接合孔５７１ａ１、５７１ｂ１は、カバー３０と共に締結される固定ネジ９５（図３参照）が締結されるための孔である。
【００６８】
また、本実施形態では、支持部５７１ａが小幅剛性部１４０ｗに対向し、支持部５７１ｂが小幅部１３０ｗに対向する。なお、小幅剛性部１４０ｗはスケール方向Ｍの可撓性を有しない。支持部５７１ａの幅の設計の自由度は、凹部１４０ｗ１が設けられることで増す。
【００６９】
［鍵盤アセンブリの動作］
図８は、鍵（白鍵）を押下したときの鍵アセンブリの動作を説明する図である。図８（Ａ）は、鍵１００がレスト位置（押鍵していない状態）にある場合の図である。図８（Ｂ）は、鍵１００がエンド位置（最後まで押鍵した状態）にある場合の図である。鍵１００が押下されると、棒状可撓性部材１８５が棒状可撓性部材１８５となって曲がる。このとき、棒状可撓性部材１８５は、鍵の前方（手前方向）への曲げ変形が生じているが、フレーム側ガイド５１３による前後方向の移動の規制によって、鍵１００は前方に移動するのではなくピッチ方向に回動するようになる。
【００７０】
そして、ハンマー支持部１２０が前端部２１０を押し下げることで、ハンマーアセンブリ２００が回動軸５２０を中心に回動する。錘部２３０が上側ストッパ４３０に衝突することによって、ハンマーアセンブリ２００の回動が止まり、鍵１００がエンド位置に達する。また、センサ３００が前端部２１０によって押しつぶされると、センサ３００は、押しつぶされた量（押鍵量）に応じた複数の段階で、検出信号を出力する。
【００７１】
一方、離鍵すると、錘部２３０が下方に移動して、ハンマーアセンブリ２００が回動し、鍵１００が上方に回動する。錘部２３０が下側ストッパ４１０に接触することで、ハンマーアセンブリ２００の回動が止まり、鍵１００がレスト位置に戻る。
【００７２】
図９は、板状部の変形例を示す平面図である。図９（Ａ）に示されるように、鍵長手方向Ｋで所定間隔を確保しつつ配置される３つの支持部５７１ａ、５７１ｂ、５７１ｄと、その３つの支持部５７１ａ、５７１ｂ、５７１ｄの間に配置される２枚の板状部５７１ｃ、５７１ｅと、を有する構成であっても良い。このように、支持部と板状部は、数が異なる構成であっても良い。
【００７３】
あるいは、図９（Ｂ）に示されるように、板状部５７１ｃの鍵長手方向Ｋの両端で隣接する位置に支持部５７１ａ、５７１ｂが配置されるが、支持部５７１ａの別の端には鍵長手方向Ｋで隣接する位置に板状部が配置されず、支持部５７１ｄが配置されるという構成であっても良い。
【００７４】
あるいは、図９（Ｃ）に示されるように、板状部５７１ｃの鍵長手方向Ｋの端部に支持部５７１ａ、５７１ｂ、５７１ｄが無い構成であっても良い。あるいは、図９（Ｄ）に示されるように、板状部５７１ｃ、５７１ｅと、支持部５７１ａ、５７１ｂ、５７１ｄと、が別体の構成であっても良い。その他、白鍵と黒鍵との間に、前述してきたカバー支持板５７１を設ける構成であっても良い。
【００７５】
板状部５７１ｃは、Ｅの音に対応する白鍵１００ｗ（第１の白鍵）とＦの音に対応する白鍵１００ｗ（第２の白鍵）との間に配置される。また、板状部５７１ｃは、Ｂの音に対応する白鍵１００ｗ（第１の白鍵）とＣの音に対応する白鍵１００ｗ（第２の白鍵）との間に配置される。白鍵１００ｗ同士の間の箇所は、白鍵１００ｗと黒鍵１００ｂとが隣接する箇所よりも鍵１００同士の隙間が大きく空いているので、板状部５７１ｃを設けるのに適している。
【００７６】
前述してきた構成によれば、鍵１００の剛性を維持しつつ、フレーム５００の剛性を向上させることができる。すなわち、板状部５７１ｃがフレーム５００を強化することになる。また、板状部５７１ｃが鍵１００を迂回するので、鍵１００に穴を開ける必要がなく、鍵１００の剛性や強度の低下が回避される。
【符号の説明】
【００７７】
１鍵盤装置、１０：鍵盤アセンブリ、１００：鍵、１００ｗ：白鍵、１００ｂ：黒鍵、３０：カバー、３０ａ１：カバー孔、７０：音源装置、８０：スピーカ、９７：合体ネジ、１０１；鍵側ガイド、１０２；鍵側ガイド、１２５；鍵側ガイド、１３０ｗ：小幅部、１３０ｂ小幅部、１４０ｗ１：ガイド凹部、１５３：フレーム側ガイド、１８５：棒状可撓性部材、２００：ハンマーアセンブリ、４１０：下側ストッパ、４３０：上側ストッパ、５００：フレーム、５７１： カバー支持板、５７１ａ：支持部、５７１ｂ；支持部、５７１ｃ；板状部、５７２：リブ、Ｋ：鍵長手方向、Ｋ１：手前、Ｋ２：奥、Ｍ：スケール方向、ＮＶ：非外観部、ＰＶ：外観部
【図１】
2018081137.tif 000003
【図２】
2018081137.tif 000004
【図３】
2018081137.tif 000005
【図４】
2018081137.tif 000006
【図５】
2018081137.tif 000007
【図６】
2018081137.tif 000008
【図７】
2018081137.tif 000009
【図８】
2018081137.tif 000010
【図９】
2018081137.tif 000011